(57)【要約】  【課題】  部品点数が少なく、組み付けも簡単に行えるワイパブレードを提供する。  【解決手段】  ワイパーアームに取り付けられるとともに左右方向に延びる長尺状のバーディブラ３０と、このバーディブラ３０の左右両側の部分を覆って装着される筒状の第１,第２スポイラー７０Ａ,７０Ｂと、これら第１,第２スポイラー７０Ａ,７０Ｂに保持されるリフィール２０とを備えたワイパブレードであって、第１スポイラー７０Ａの一端の開口端からバーディブラ３０の一端を挿入してその第１スポイラー７０Ａをバーディブラ３０に装着し、第２スポイラー７０Ｂの一端の開口端からバーディブラ３０の他端を挿入してその第２スポイラー７０Ｂをバーディブラ３０に装着する。【選択図】  図２
2006290219.tif 000002
【特許請求の範囲】
【請求項１】
ワイパーアームに取り付けられるとともに左右方向に延びる長尺状のバーディブラと、このバーディブラの左右両側の部分を覆って装着される筒状の第１,第２スポイラ−と、これら第１,第２スポイラーに保持されるブレードとを備えたワイパブレードであって、
第１スポイラーの一端の開口端から前記バーディブラの一端を挿入してその第１スポイラーをバーディブラに装着し、
第２スポイラーの一端の開口端から前記バーディブラの他端を挿入してその第２スポイラーをバーディブラに装着することを特徴とするワイパブレード。
【請求項２】
前記ブレードは、長手方向に沿って延びるフランジを有し、
第１,第２スポイラーに長手方向に沿って延びるとともに前記フランジに接合される平面状の第１リブを設けたことを特徴とする請求項１に記載のワイパブレード。
【請求項３】
第１リブに対向した位置に長手方向に沿って延びる第２リブを設け、この第１,第２リブによって前記フランジを挟み込むようにしたことを特徴とする請求項２に記載のワイパブレード。
【請求項４】
前記フランジの中央部に側方に突出する突出部を設けて、第１,第２スポイラー間の防水を図ることを特徴とする請求項１ないし請求項３の何れか１つに記載のワイパブレード。
【発明の詳細な説明】
【技術分野】
【０００１】
この発明は、バーディブラに装着されるスポイラーと、このスポイラーに保持されるブレードとを備えたワイパブレードに関する。
【背景技術】
【０００２】
従来から、車両用のワイパブレードが知られている（特許文献１参照）。
【０００３】
かかるワイパブレードは、ワイパーアームの先端に設けられたブレード部材と、ゴム製のワイパ部材と、このワイパ部材を支持するインナーホルダおよびアウターホルダと、このアウターホルダとブレード部材を連結する複数の連結部材と、防水性のカバー部材とから構成されている。
【特許文献１】実開平３−５５４８号公報
【発明の開示】
【発明が解決しようとする課題】
【０００４】
このように、従来のワイパブレードは、部品点数が多く、このため組立工数も多く、組み付けが面倒である等の多くの問題があった。
【０００５】
この発明の目的は、部品点数が少なく、組み付けも簡単に行えるワイパブレードを提供することにある。
【課題を解決するための手段】
【０００６】
上記目的を達成するため、請求項１の発明は、ワイパーアームに取り付けられるとともに左右方向に延びる長尺状のバーディブラと、このバーディブラの左右両側の部分を覆って装着される筒状の第１,第２スポイラ−と、これら第１,第２スポイラーに保持されるブレードとを備えたワイパブレードであって、
第１スポイラーの一端の開口端から前記バーディブラの一端を挿入してその第１スポイラーをバーディブラに装着し、
第２スポイラーの一端の開口端から前記バーディブラの他端を挿入してその第２スポイラーをバーディブラに装着することを特徴とする。
【０００７】
請求項２の発明は、前記ブレードは、長手方向に沿って延びるフランジを有し、
第１,第２スポイラーに長手方向に沿って延びるとともに前記フランジに接合される平面状の第１リブを設けたことを特徴とする。
【０００８】
請求項３の発明は、第１リブに対向した位置に長手方向に沿って延びる第２リブを設け、この第１,第２リブによって前記フランジを挟み込むようにしたことを特徴とする。
【０００９】
請求項４の発明は、前記フランジの中央部に側方に突出する突出部を設けて、第１,第２スポイラー間の防水を図ることを特徴とする。
【発明の効果】
【００１０】
この発明によれば、ワイパブレードの部品点数が少なく、ワイパブレードの組み付けも簡単に行える。
【発明を実施するための最良の形態】
【００１１】
以下、この発明に係るワイパブレードの実施の形態である実施例を図面に基づいて説明する。
【実施例】
【００１２】
図１および図２に示す冬用のワイパブレード１は、図示しないワイパーアームに取り付けられるとともに左右方向に延びた長尺状の夏用のバーディブラ３０と、このバーディブラ３０の左右の両側に装着される一対の樹脂製のスポイラ−７０Ａ,７０Ｂと、これらスポイラー７０Ａ,７０Ｂに保持されるゴム製のリフィール（ブレード）２０と、カバー部材９と、一対の補助バーディブラ４０,４０等とから構成されている。
【００１３】
リフィール２０は、図３（Ａ）に示すように、払拭部２１と、首部２２と、頭部２３とを有し、払拭部２１の上部には側方に突出するとともに長手方向に沿って延びた一対のフランジ２４,２４が形成されている。また、頭部２３の両側部には長手方向に沿って延びた溝２５,２５が形成され、この溝２５,２５内には補助バーディブラ４０,４０が嵌入されている。
【００１４】
また、フランジ２４,２４の中央位置（長手方向に対して）には、側方に突出した平板状の突出部２６,２６が連続形成されている。
【００１５】
バーディブラ３０は、金属製のバーディブラ本体３１と、このバーディブラ本体３１に所定間隔ごとに取り付けた複数のホルダー部材６と、バーディブラ本体３１の中央部に取り付けたクリップベース部材８等とを有している。
【００１６】
ホルダー部材６は、図３（Ｂ）に示すように、リフィール２０の頭部２３の下面に係止される一対の保持爪６Ａ,６Ａを有している。
【００１７】
スポイラー（第１スポイラー）７０Ａは、図２および図３（Ａ）に示すように、上壁部７１Ａと側壁部７２Ａ,７２Ａと底壁部（第１リブ）７３Ａとを有する筒体７４Ａから形成され、底壁部７３Ａには長手方向に沿って所定の幅のスリット７５Ａが形成されている。スポイラー７０Ａの一端は開口され、他端は図３（Ｃ）に示すように筒体７４Ａに一体的に連続形成された端壁部７６Ａによって閉塞されている。このため、降雪時の雪溜まりを防止することができる。
【００１８】
また、スポイラ−７０Ａの底壁部７３Ａは、リフィール２０のフランジ２４,２４の下面（図３（Ａ）において）に接合される。
【００１９】
スポイラー（第２スポイラー）７０Ｂもスポイラー７０Ａと同じ構成となっているので、その説明は省略する。
【００２０】
このカバー部材９は、図４、図５に示すように、クリップベース部材８を被覆する被覆壁部９ａ,９ａと、リフィール２０のフランジ２４,２４および突出部２６,２６の下面に係合する係合爪９ｂ,９ｂとを有し、図４に示すように、カバー部材９の上部には開口９ｃが形成されている。
【００２１】
図示を略すワイパーアームは、その開口９ｃを通してクリップベース部材８に揺動可能に連結される。そのスポイラー７０Ａ,７０Ｂの中央部側の端部はそのカバー部材９によって被覆されると共に押圧保持される。
【００２２】
クリップベース部材８は、図６〜図１０に示すように、一対の長方板形状の起立壁部１１を有する。この一対の起立壁部１１には、図７、図８、図１０に示すようにリベット部材１２が貫通される貫通孔１３が形成されている。そのリベット部材１２は、図１０に示すように小径部１２ａと大径部１２ｂと頭部１２ｃとを有する段付き構成のものとされている。
【００２３】
その一対の起立壁部１１,１１には、一対の起立壁部１１,１１を連結する連結片部１４が一体に形成されている。この連結片部１４はこの一対の起立壁部１１,１１の延びる方向一方側の端部から延在された延在片部１４ａとそのバーティブラ本体３１に固定された状態で横断方向に延びる横断片部１４ｂとから構成されている。
【００２４】
その一対の起立壁部１１,１１の下部には、屈曲片部１５ａ,１５ａが一対の起立壁部１１,１１の延びる方向に間隔を開けてそれぞれ形成されている。この屈曲片部１５ａ,１５ａはバーティブラ本体３１の下面３１ａに係合するようになっている。
【００２５】
この一対の起立壁部１１,１１には、一対の当接片部１６,１６がそれぞれ形成されている。
【００２６】
その一対の当接片部１６,１６はバーティブラ本体３１の上面３１ｂ（図１０において）に当接して、一対の対向片部１５,１５と協働してバーティブラ３０の挟持空間３ｃ（図７参照）を形成している。
【００２７】
その一対の起立壁部１１,１１は、バーティブラ３０に取り付けられる前の状態では連結片部１４が形成された一方側の間隔に較べて遠い側の端部の間隔が大きく形成されたいわゆるハの字形状とされている。
【００２８】
そのクリップベース部材８は、リベット部材１２を一対の起立壁部１１,１１の貫通孔１３に挿通し、カシメ手段を用いて小径部１２ａを圧潰することにより一対の起立壁部１１,１１が略平行とされる。これと共に、起立壁部１１,１１が互いに略平行に対向することにより一対の当接片部１６,１６と一対の対向片部１５,１５との間の挟持空間３ｃにバーティブラ本体３１が挟み込まれ、これにより、バーティブラ本体３１にクリップベース部材８が固定される。その一対の当接片部１６,１６は連結片部１４と協働して一対の起立壁部１１,１１の対向間隔を略平行に維持する間隔維持部材としての役割も果たす。
【００２９】
そのリベット部材１２には、ここでは、その大径部１２ｂに図示を略すワイパーアーム係合部材が取り付けられ、このワイパーアームがそのワイパーアーム係合部材に係合される。
【００３０】
次に、ワイパブレード１の組み付け方について説明する。
【００３１】
先ず、予めバーティブラ本体３１にホルダー部材６やクリップベース部材８を取り付けておく。そして、リフィール２０の溝２５,２５内に補助バーディブラ４０,４０を嵌入させる。
【００３２】
このリフィール２０を図１１に示すバーティブラ本体３１のホルダー部材６に挿入して、図１２に示すようにリフィール２０をバーティブラ本体３１に取り付ける。
【００３３】
次に、バーティブラ本体３１およびリフィール２０の一端をスポイラ−７０Ａの一端の開口へ挿入するとともに、リフィール２０の払拭部２１をスポイラ−７０Ａのスリット７５Ａ内に挿入し、リフィール２０のフランジ２４,２４をスポイラ−７０Ａの底壁部７３Ａの上面に当接させる。そして、スポイラ−７０Ａの開口端がリフィール２０の突出部２６に突き当たるまでスポイラ−７０Ａを矢印Ｐ１方向へ押し込んで、スポイラ−７０Ａをバーティブラ本体３１およびリフィール２０の片側（図１２において右側）に装着させる。
【００３４】
スポイラ−７０Ａをリフィール２０の突出部２６に突き当てることにより、スポイラ−７０Ａを位置決することができる。
【００３５】
スポイラ−７０Ａの装着によって、バーティブラ本体３１に取り付けたホルダー部材６の肉厚が薄いことにより、図３（Ａ）に示すように、スポイラ−７０Ａの上壁部７１Ａがバーティブラ本体３１に当接する。また、リフィール２０のフランジ２４,２４の下面に接着剤を予め塗布しておき、これにより、リフィール２０のフランジ２４,２４とスポイラ−７０Ａの底壁部７３Ａとを接着させる。これにより、スポイラ−７０Ａにリフィール２０が保持される状態となる。
【００３６】
また、フランジ２４,２４および底壁部７３Ａは平面状に形成されているので、その接着性を向上させることができる。
【００３７】
同様に、バーティブラ本体３１およびリフィール２０の他端をスポイラ−７０Ｂの一端の開口へ挿入して、スポイラ−７０Ｂをバーティブラ本体３１およびリフィール２０の片側（図１２において左側）に装着させる。
【００３８】
そして、クリップベース部材８をカバー部材９で被覆すると共にバーディブラ本体３１の中央部に装着して、スポイラー７０Ａ,７０Ｂの中央部側の端部と、リフィール２０の突出部２６,２６とフランジ２４,２４の一部とをカバー部材９により被覆保持する。これらにより、スポイラー７０Ａ,７０Ｂ内の防水が行われる。また、スポイラー７０Ａ,７０Ｂ間に突出部２６,２６が配置されるので、そのスポイラー７０Ａ,７０Ｂ間の隙間を塞ぐことになり、その防水効果を高めることができる。
【００３９】
上述のように、ワイパブレード１は、バーディブラ３０と、このバーディブラ３０に装着される一対のスポイラ−７０Ａ,７０Ｂと、これらスポイラー７０Ａ,７０Ｂに保持されるリフィール２０と、カバー部材９と、一対の補助バーディブラ４０,４０とから構成されているので、その部品点数が少なく、しかもバーティブラ本体３１およびリフィール２０の両端にスポイラ−７０Ａ,７０Ｂを挿入して装着し、クリップベース部材８をカバー部材９で被覆してバーディブラ本体３１に取り付けるだけなので、その組み付けは簡単に行うことができ、その組み付け工数も少なくて済む。
【００４０】
また、バーティブラ本体３１およびリフィール２０の両端からスポイラ−７０Ａ,７０Ｂを挿入して装着すればよいので、夏用のバーティブラ本体３１を流用することができる。また、従来のように、プライマリー、セカンダリーレバーおよびヨークを使用していないので、耐凍結性に優れている。
【００４１】
図１３は他の例のワイパブレード１００を示したものであり、このワイパブレード１００は、スポイラ−７０Ａ,７０Ｂにリブ（第２リブ）１０１,１０１を形成し、このリブ１０１,１０１と底壁部７３Ａとでリフィール２０のフランジ２４,２４を挟み込むようにしたものである。
【図面の簡単な説明】
【００４２】
【図１】この発明に係わる実施例のワイパーブレードを示した斜視図である。
【図２】図１に示すワイパーブレードの構成を示した分解斜視図である。
【図３（Ａ）】図１に示すワイパーブレードの断面図である。
【図３（Ｂ）】図１に示すワイパーブレードの他の位置での断面図である。
【図３（Ｃ）】スポイラーの端部を示した断面図である。
【図４】図１に示すクリップベースカバー部材の斜視図である。
【図５】図４に示すクリップカバー部材の断面図である。
【図６】図３に示すクリップベース部材の平面図である。
【図７】図６のＢ−Ｂ線に沿う断面図である。
【図８】図６に示すクリップベース部材の縦断面図である。
【図９】図３に示すバーディブラにクリップベース部材が固定された状態を示す部分拡大斜視図である。
【図１０】図３に示すバーディブラにクリップベース部材が固定される前の状態を示す部分拡大斜視図である。
【図１１】リフィールをバーティブラ本体に取り付けた状態を示した断面図である。
【図１２】ワイパーブレードの組み付け方を示した説明図である。
【図１３】他の例のワイパーブレードの構成を示した断面図である。
【符号の説明】
【００４３】
２０          リフィール
３０          バーティブラ
３１          バーティブラ本体
７０Ａ        スポイラー（第１スポイラー）
７０Ｂ        スポイラー（第２スポイラー）
【図１】
2006290219.tif 000003
【図２】
2006290219.tif 000004
【図３（Ａ）】
2006290219.tif 000005
【図３（Ｂ）】
2006290219.tif 000006
【図３（Ｃ）】
2006290219.tif 000007
【図４】
2006290219.tif 000008
【図５】
2006290219.tif 000009
【図６】
2006290219.tif 000010
【図７】
2006290219.tif 000011
【図８】
2006290219.tif 000012
【図９】
2006290219.tif 000013
【図１０】
2006290219.tif 000014
【図１１】
2006290219.tif 000015
【図１２】
2006290219.tif 000016
【図１３】
2006290219.tif 000017